(57)【要約】【課題】携帯中の携帯端末に電力を供給することができ、且つ、落下時の携帯端末の破損を防ぐことができる携帯端末用カバーを提供する。【解決手段】携帯端末用カバー１は、情報を表示する表示部５１を筐体の表面に有する電子ブック５０に着脱可能に装着され、電子ブック５０を覆って保護する携帯端末用カバーであって、電子ブック５０の表面に対向して配置される表面カバー部２０と、電子ブック５０の裏面に対向して配置される裏面カバー部１０と、電子ブック５０の側面に対向して配置される側面カバー部３０と、電子ブック５０が外部から電力を受給するために有するカバーＩ／Ｆに電気的に接続される端末Ｉ／Ｆと、端末Ｉ／Ｆを介して電子ブック５０に電力を供給する予備バッテリを取り付けるための予備バッテリ取付部１１とを備えている。【選択図】図２
2010016799.tif 000002
【特許請求の範囲】
【請求項１】
情報を表示する表示部を筐体の表面に有する携帯端末に着脱可能に装着され、少なくとも前記携帯端末の前記表面、前記表面とは反対側の裏面、及び前記表面と前記裏面とを接続する側面を覆って保護する携帯端末用カバーであって、
前記携帯端末の前記表面に対向して配置され、少なくとも前記表示部を覆って保護する表面カバー部と、
前記携帯端末の前記裏面に対向して配置され、前記裏面を覆って保護する裏面カバー部と、
前記携帯端末の前記側面に対向して配置され、前記側面を覆って保護する側面カバー部であって、自身の一端に前記表面カバー部が揺動可能に接続されるとともに、自身の他端に前記裏面カバー部が、前記表面カバー部とは独立に揺動可能に接続される側面カバー部と、
前記携帯端末が外部から電力を受給するために有する電力需給口に対応して、前記裏面カバー部または前記側面カバー部に設けられ、前記電力受給口に電気的に接続されるコネクタ部と、
前記表面カバー部、前記裏面カバー部及び前記側面カバー部のいずれかに設けられ、前記コネクタ部を介して前記携帯端末に電力を供給する予備バッテリを取り付けるための予備バッテリ取付部と
を備えたことを特徴とする携帯端末用カバー。
【請求項２】
前記予備バッテリ取付部は、前記裏面カバー部の部位の内、前記携帯端末の前記表面を前記裏面に投影した状態で前記表示部が投影される領域を覆う部位を避けて、前記裏面カバー部に設けられることを特徴とする請求項１に記載の携帯端末用カバー。
【請求項３】
前記携帯端末の前記表示部が前記情報の表示を開始させる基準位置の側を前記表示部の上側とした場合において、前記予備バッテリ取付部は、前記裏面カバー部の部位の内、前記表示部よりも下方側の部分を覆う部位に設けられることを特徴とする請求項１または２に記載の携帯端末用カバー。
【請求項４】
前記予備バッテリ取付部は、前記表面カバー部の部位の内、前記表示部を覆う部位を避けて、前記表面カバー部に設けられることを特徴とする請求項１に記載の携帯端末用カバー。
【請求項５】
前記携帯端末の前記表示部が前記情報の表示を開始させる基準位置の側を前記携帯端末の上側とした場合において、前記予備バッテリ取付部は、前記側面カバー部の部位の内、前記側面の中央よりも下方側の部分を覆う部位に設けられることを特徴とする請求項１に記載の携帯端末用カバー。
【発明の詳細な説明】
【技術分野】
【０００１】
本発明は、携帯端末用カバーに関する。
【背景技術】
【０００２】
近年、電子ブックが広く普及している。電子ブックは、辞書、もしくは書籍に記載されている情報を記憶しており、簡単に持ち運びできる。電子ブックには、パソコンからＵＳＢ（Ｕｎｉｖｅｒｓａｌ  Ｓｅｒｉａｌ  Ｂｕｓ）ケーブルを介して、またはＳＤカード等を介して情報が入力される。電子ブックは、一般に数百グラムと軽量で、ノートパソコンよりも軽く、かつ、手のひらと同様のサイズでコンパクトという特徴を有する。電子ブックは、乾電池、または充電式電池から供給される電源によって動作する。乾電池及び充電式電池が供給できる電力量には限りがあるため、電力が消費される前に、電池を交換するか、もしくは充電式電池を充電する必要がある。
【０００３】
そこで、電子ブックなどの携帯型通信装置の充電式電池を充電するための装置であるクレードルを用いた充電方法が知られている（例えば、特許文献１）。このクレードルは、携帯型通信装置が外れないようにロックするロック部、及びロック解除を検出する機能など、多くの機能を備えている。
【先行技術文献】
【特許文献】
【０００４】
【特許文献１】特開２００７−９６８５１号公報
【発明の概要】
【発明が解決しようとする課題】
【０００５】
しかしながら、特許文献１に記載のクレードルは、多くの機能を有しているため重い。したがって、電子ブックをクレードルに接続した際、全体としても重くなり、クレードルと一体となった電子ブックが落下した際に電子ブック自体が破損する恐れがあるという問題点があった。
【０００６】
本発明は、上記の課題を解決するためになされたものであり、携帯中の携帯端末に電力を供給することができ、且つ、落下時の携帯端末の破損を防ぐことができる携帯端末用カバーを提供することを目的とする。
【課題を解決するための手段】
【０００７】
上記目的を達成するために、請求項１に係る発明の携帯端末用カバーは、情報を表示する表示部を筐体の表面に有する携帯端末に着脱可能に装着され、少なくとも前記携帯端末の前記表面、前記表面とは反対側の裏面、及び前記表面と前記裏面とを接続する側面を覆って保護する携帯端末用カバーであって、前記携帯端末の前記表面に対向して配置され、少なくとも前記表示部を覆って保護する表面カバー部と、前記携帯端末の前記裏面に対向して配置され、前記裏面を覆って保護する裏面カバー部と、前記携帯端末の前記側面に対向して配置され、前記側面を覆って保護する側面カバー部であって、自身の一端に前記表面カバー部が揺動可能に接続されるとともに、自身の他端に前記裏面カバー部が、前記表面カバー部とは独立に揺動可能に接続される側面カバー部と、前記携帯端末が外部から電力を受給するために有する電力需給口に対応して、前記裏面カバー部または前記側面カバー部に設けられ、前記電力受給口に電気的に接続されるコネクタ部と、前記表面カバー部、前記裏面カバー部及び前記側面カバー部のいずれかに設けられ、前記コネクタ部を介して前記携帯端末に電力を供給する予備バッテリを取り付けるための予備バッテリ取付部とを備えている。
【０００８】
また、請求項２に係る発明の携帯端末用カバーは、請求項１に記載の発明の構成に加えて、前記予備バッテリ取付部は、前記裏面カバー部の部位の内、前記携帯端末の前記表面を前記裏面に投影した状態で前記表示部が投影される領域を覆う部位を避けて、前記裏面カバー部に設けられることを特徴とする。
【０００９】
また、請求項３に係る発明の携帯端末用カバーは、請求項１または２に記載の発明の構成に加えて、前記携帯端末の前記表示部が前記情報の表示を開始させる基準位置の側を前記表示部の上側とした場合において、前記予備バッテリ取付部は、前記裏面カバー部の部位の内、前記表示部よりも下方側の部分を覆う部位に設けられることを特徴とする。
【００１０】
また、請求項４に係る発明の携帯端末用カバーは、請求項１に記載の発明の構成に加えて、前記予備バッテリ取付部は、前記表面カバー部の部位の内、前記表示部を覆う部位を避けて、前記表面カバー部に設けられることを特徴とする。
【００１１】
また、請求項５に係る発明の携帯端末用カバーは、請求項１に記載の発明の構成に加えて、前記携帯端末の前記表示部が前記情報の表示を開始させる基準位置の側を前記携帯端末の上側とした場合において、前記予備バッテリ取付部は、前記側面カバー部の部位の内、前記側面の中央よりも下方側の部分を覆う部位に設けられることを特徴とする。
【発明の効果】
【００１２】
請求項１に係る発明の携帯端末用カバーの表面カバー部、裏面カバー部、側面カバー部は、それぞれ携帯端末の表面、裏面、側面を覆い、保護する。予備バッテリを取り付けるための予備バッテリ取付部が携帯端末用カバーに設けられている。携帯端末を保護するカバー部に予備バッテリが取り付けられるため、携帯端末を落下させても、予備バッテリが携帯端末を破損させる虞が低い。よって、携帯端末用カバーは、携帯端末の破損を防止することができ、且つ、携帯中の携帯端末に予備バッテリの電力を供給することができる。
【００１３】
また、請求項２に係る発明の携帯端末用カバーでは、予備バッテリは、携帯端末用カバーの裏面カバー部の部位の内、携帯端末の表示部と重なる位置を避けて設けられる。したがって、請求項１に記載の発明の効果に加え、携帯端末に衝撃が加わった場合でも、予備バッテリによって携帯端末の表示部が傷付けられることがない。
【００１４】
また、請求項３に係る発明の携帯端末用カバーでは、予備バッテリは、裏面カバー部の部位の内、携帯端末の表示部よりも下方側の部分を覆う部位に設けられる。したがって、請求項１または２に記載の発明の効果に加え、ユーザが携帯端末の姿勢を立ち上げると、携帯端末用カバーの重心が中心よりも下方に位置し、携帯端末の姿勢が安定する。
【００１５】
また、請求項４に係る発明の携帯端末用カバーでは、予備バッテリは、携帯端末用カバーの表面カバー部の部位の内、携帯端末の表示部を覆う位置を避けて設けられる。したがって、請求項１に記載の発明の効果に加え、携帯端末に衝撃が加わった場合でも、予備バッテリによって携帯端末の表示部が傷付けられることがない。
【００１６】
また、請求項５に係る発明の携帯端末用カバーでは、予備バッテリは、携帯端末用カバーの側面カバー部の部位の内、携帯端末の側面の中央よりも下方側を覆う部位に設けられる。したがって、請求項１に記載の発明の効果に加え、ユーザが携帯端末の姿勢を立ち上げると、携帯端末用カバーの重心が中心よりも下方に位置し、携帯端末の姿勢が安定する。
【図面の簡単な説明】
【００１７】
【図１】電子ブック５０を装着する際の携帯端末用カバー１の斜視図である。
【図２】表面カバー部２０を広げた状態の携帯端末用カバー１の正面図である。
【図３】表面カバー部２０を広げた状態の携帯端末用カバー１の平面図である。
【図４】携帯端末用カバー１と電子ブック５０のブロック図である。
【図５】表面カバー部２０を広げた状態の携帯端末用カバー１０１の正面図である。
【図６】表面カバー部２０を広げた状態の携帯端末用カバー１０１の平面図である。
【図７】電子ブック５０を装着する際の携帯端末用カバー２０１の斜視図である。
【図８】ライト３５０を備えた携帯端末用カバー３０１の斜視図である。
【発明を実施するための形態】
【００１８】
以下、本発明に係る携帯端末用カバー１の実施形態について図面を参照して説明する。以下の説明では、電子ブック５０の表示部５１の初期設定における表示開始位置を基準として上下方向を規定する。具体的には、表示開始位置としてデフォルト設定されている位置が、表示部５１の左上の角とされている。本実施形態では、表示開始位置が図１中の点ＳＰであるものとする。よって、図１の紙面右上側を携帯端末用カバー１及び電子ブック５０の上方とし、紙面左下側を下方とする。図１の紙面右下側を携帯端末用カバー１の右方とし、紙面左上側を左方とする。図２の上側を携帯端末用カバー１及び電子ブック５０の上方とし、図２の下側を携帯端末用カバー１及び電子ブック５０の下方とする。図３の右側を携帯端末用カバー１及び電子ブック５０の上方とし、図３の左側を携帯端末用カバー１及び電子ブック５０の下方とする。
【００１９】
携帯端末用カバー１に装着される電子ブック５０について、図１を参照して説明する。電子ブック５０は略直方体形状であり、裏面５２、表面５３、及び側面５４を備える。裏面５２、表面５３は同じ大きさであり、大人の手のひらに収まる程度の大きさである。電子ブック５０の厚みに相当する側面５４の幅は１ｃｍ程度である。表面５３には、電子書籍などの情報を表示する画面である表示部５１が設けられている。表面５３における表示部５１の下方には、情報を入力、選択するボタンの集まりである操作部５５が設けられている。操作部５５は、ページの送りボタン、戻りボタン、文字の大きさを選択するボタン等を備えている。操作部５５は、ユーザが操作しやすいように、表示部５１より下方にあるのが通常である。
【００２０】
次に、図１を参照して、携帯端末用カバー１の構成について説明する。図１に示すように、電子ブック５０を保護するために用いられる携帯端末用カバー１は、３つの平面である裏面カバー部１０、表面カバー部２０及び側面カバー部３０からなる。裏面カバー部１０、表面カバー部２０及び側面カバー部３０は、第１ヒンジ部１５及び第２ヒンジ部２５によって接続された、３つの連続した平面である。
【００２１】
裏面カバー部１０は、電子ブック５０の裏面５２よりやや大きい平面視長方形状であり、左端部の第１ヒンジ部１５を介して側面カバー部３０と接続する。裏面カバー部１０は、電子ブック５０を裏面５２から支える。図示しないが、電子ブック５０は、裏面カバー部１０に嵌め込まれることで、もしくは引っかけられることで、裏面カバー部１０に固定される。
【００２２】
裏面カバー部１０の正面側の下部には、携帯端末用カバー１と電子ブック５０とを電気的に接続するための接続部４０が設けられている。接続部４０は、外部インタフェイス（以下、Ｉ／Ｆ と略す）４１、電源Ｉ／Ｆ４２、ＵＳＢ（Ｕｎｉｖｅｒｓａｌ  Ｓｅｒｉａｌ  Ｂｕｓ）Ｉ／Ｆ４３及び端末Ｉ／Ｆ４４を備えている。
【００２３】
外部Ｉ／Ｆ４１には、ＳＤカード等の外部メモリが接続される。電源Ｉ／Ｆ４２は、外部電源から通じる電源ケーブルに接続し、予備バッテリ７４（図２参照）、及び電子ブック５０に電力を供給する。ＵＳＢＩ／Ｆ４３は、ＵＳＢコネクタを持つケーブルを介して、パーソナルコンピュータ等と電子ブック５０とを接続する。端末Ｉ／Ｆ４４は、上述の外部Ｉ／Ｆ４１、電源Ｉ／Ｆ４２、ＵＳＢＩ／Ｆ４３と電子ブック５０とを接続する。
【００２４】
表面カバー部２０は、電子ブック５０の表面５３よりやや大きい平面視長方形状であり、第２ヒンジ部２５を介して側面カバー部３０と接続する。表面カバー部２０は、裏面カバー部１０と対称の形状である。表面カバー部２０は、表示部５１を備えた電子ブック５０の表面５３を覆って保護する。表示部５１は傷つき易いので、表示部５１を保護する重要性は高い。例えば、ユーザが移動時に電子ブック５０をバックに入れていても、表示部５１は表面カバー部２０によって保護される。よって、バック内のその他の収納物によって表示部５１が傷付けられる虞が低下する。
【００２５】
側面カバー部３０は、電子ブック５０の側面５４よりやや大きい平面視長方形状である。側面カバー部３０は、裏面カバー部１０と表面カバー部２０を接続し、且つ、電子ブック５０の側面５４を覆って保護する。ここで、携帯端末用カバー１に固定された電子ブック５０をユーザが持った場合を考える。右利きの人をユーザと仮定した場合、ユーザは、側面カバー部３０を左側に位置させて、右手で携帯端末用カバー１を開閉できるようにするのが通常である。
【００２６】
側面カバー部３０の短手方向の長さ（第１ヒンジ部１５と第２ヒンジ部２５との間の長さ）は、電子ブック５０の側面５４の幅（電子ブック５０の厚み）とほぼ同等である。これにより、裏面カバー部１０に固定された電子ブック５０の表示部５１が、表面カバー部２０によって隙間無く覆われる。
【００２７】
裏面カバー部１０及び表面カバー部２０は同じ板厚である。電子ブック５０を異物等から守るために、耐水性があり、耐衝撃性がある材質を用いて裏面カバー部１０、表面カバー部２０、及び側面カバー部３０を形成するのが望ましい。好適な材料の例として、人工皮革、合成樹脂、合成ゴム、合成ウレタン等が挙げられる。
【００２８】
次に、予備バッテリ７４（図４参照）について説明する。予備バッテリ７４は親指程度の大きさの直方体である。予備バッテリ７４の厚みは数ミリであり、予備バッテリ７４が挿入される裏面カバー部１０の厚みよりも薄く形成されている。予備バッテリ７４に使用するバッテリは、リチウムイオン製のバッテリが好適である。リチウムイオン製のバッテリは、厚みが数ミリであり、ノートパソコンなどの携帯機器に広く使われている。
【００２９】
次に、図２及び図３を参照して、予備バッテリ取付部１１について詳細に説明する。図２及び図３に示すように、裏面カバー部１０の下部には、凹状の予備バッテリ取付部１１が設けられている。予備バッテリ取付部１１は、予備バッテリ７４を接続する予備バッテリコネクタ７０（図４参照）を備えている。予備バッテリ７４は、予備バッテリ取付部１１に取り付けられ、電子ブック５０へ電力を供給する。予備バッテリ取付部１１は、裏面カバー部１０のうち、接続部４０の設置部分の内部に設けられている。つまり、予備バッテリ取付部１１は、電子ブック５０の表示部５１が配置される位置を避けて設けられている。この位置に予備バッテリ７４を設けておけば、表示部５１が予備バッテリ７４によって誤って傷付けられることはない。
【００３０】
予備バッテリ取付部１１は、携帯端末用カバー１の下部に位置する。先述したように、初期設定では、電子ブック５０における情報の表示開始位置は、表示部５１の表示領域内の左上角の点ＳＰ（図１参照）となっている。したがって、ユーザは、電子ブック５０を立てて使用する場合、携帯端末用カバー１の下部を下げて使用することが一般的である。裏面カバー部１０の下部に予備バッテリ取付部１１を設けると、電子ブックを立てて使用する際、中心よりも下方に予備バッテリ７４が位置する。予備バッテリ７４の重みによって、携帯端末用カバー１の重心が中心よりも下方に位置する。よって、電子ブック５０の姿勢が安定する。
【００３１】
液晶画面である表示部５１は、使用時に熱を持つ。予備バッテリ７４が長時間その熱と接すると、故障の原因となるおそれがある。したがって、熱の発生源である表示部５１が配置される位置の裏側を避けて予備バッテリ取付部１１を設けることで、予備バッテリの故障を防ぐこともできる。
【００３２】
次に、携帯端末用カバー１及び電子ブック５０の電気的構成について、図４を参照して説明する。
【００３３】
まず、電子ブック５０の電気的構成について説明する。電子ブック５０は、電子ブック５０の主制御を司るＣＰＵ６０を備えている。ＣＰＵ６０には、通信部６１、メモリカードリーダライター６２、ＲＡＭ６３、ＲＯＭ６４、カバーＩ／Ｆ５６、装着検出部６６、電源ＳＷ６７、入力部６８及び表示制御部６９が接続されている。電子ブック５０に内蔵されているバッテリ７２は、バッテリコネクタ７１を介して充電され、電子ブック５０の各部へ電力を供給する。
【００３４】
通信部６１は、外部の機器と電子ブック５０との間の情報の送受信を行う。電子ブック５０は、通信部６１を介してインターネット等のネットワークに接続され、他のコンピュータ等と通信を行うことができる。メモリカードリーダライター６２は、記録媒体であるＳＤカード７３に記録されているデータを読み出す。ＲＡＭ６３は、各種データを一時的に記憶する。ＲＯＭ６３は、電子ブック５０の動作を制御するための制御プログラム、プログラムの実行に必要な設定、初期値等を記憶する。
【００３５】
カバーＩ／Ｆ５６は、携帯端末用カバー１と電子ブック５０との間の情報の送受信を行い、且つ、外部電源、又は携帯端末用カバー１に取り付けられた予備バッテリ７４から電子ブック５０に電力を供給する。装着検出部６６は、携帯端末用カバー１への電子ブック５０の装着及び非装着を検出する。電子ブック５０は、携帯端末用カバー１への装着、非装着に応じて、各部への電源の供給源を切り替える。すなわち、電子ブック５０が携帯端末用カバー１に装着された場合は、外部電源、又は携帯端末用カバー１に設けられた予備バッテリ７４が電源供給源となる。装着されていない場合は、電子ブック５０のバッテリ７２が電源供給源となる。電源ＳＷ６７は、ユーザが操作する電源スイッチに接続され、電子ブック５０の電源を入り切りさせる。入力部６８は、ユーザが操作の入力を行うための操作部５５、及び表示部５１に設けられたタッチパネル（図示外）に接続され、入力の検知を行う。表示制御部６９は、情報を表示する表示部５１に接続され、表示部５１の表示の制御をする。
【００３６】
次に、携帯端末用カバー１の電気的構成について説明する。携帯端末用カバー１は、端末Ｉ／Ｆ４４、外部Ｉ／Ｆ４１、ＵＳＢＩ／Ｆ４３、電源Ｉ／Ｆ４２、及び予備バッテリ取付部１１を備えている。
【００３７】
端末Ｉ／Ｆ４４は、携帯端末用カバー１と電子ブック５０との間の情報の送受信を行い、且つ、外部電源又は予備バッテリ７４から電子ブック５０に電力を供給する。外部Ｉ／Ｆ４１は、記録媒体であるＳＤカード等との間で情報の送受信を行う。ＵＳＢＩ／Ｆ４３は、ＵＳＢケーブルを介して、パーソナルコンピュータ等との間で情報の送受信を行う。電源Ｉ／Ｆ４２は、端末Ｉ／Ｆ４４、及び予備バッテリコネクタ７０と接続する。電源Ｉ／Ｆ４２には電源ケーブルのコネクタが挿入され、自身を通して、端末Ｉ／Ｆ４４及び予備バッテリ７４に電力を供給する。
【００３８】
予備バッテリコネクタ７０は、電源Ｉ／Ｆ４２、予備バッテリ７４、及び端末Ｉ／Ｆ４４に接続する。予備バッテリコネクタ７０は、電源Ｉ／Ｆ４２から供給された電力を予備バッテリ７４へ供給する。また、予備バッテリコネクタ７０は、予備バッテリ７４から供給された電力を端末Ｉ／Ｆ４４へ供給する。予備バッテリ７４は、予備バッテリコネクタ７０から供給された電力を蓄える。また、予備バッテリ７４は、予備バッテリ取付部１１へ電力を供給する。
【００３９】
次に、上記のように構成された携帯端末用カバー１の使用方法について説明する。
【００４０】
図１に示すように、裏面カバー部１０の下部に設けられた接続部４０に電子ブック５０が接続される。この接続により、電子ブック５０のカバーＩ／Ｆ５６と接続部４０の端末Ｉ／Ｆ４４とが電気的に接続される。
【００４１】
電子ブック５０の不使用状態では、携帯端末用カバー１の３つのカバー部１０，２０，３０が電子ブック５０を覆っている。すなわち、裏面カバー部１０が電子ブック５０の裏面５２を、表面カバー部２０が電子ブック５０の表面５３を、側面カバー部３０が電子ブック５０の側面５４をそれぞれ覆っている。
【００４２】
例えば、右利きのユーザが電子ブック５０を使用する際、通常、左手で携帯端末用カバー１を持つ。この状態では、左手の親指で側面カバー部３０を支え、左手のその他の指で裏面カバー部１０を支える。第１ヒンジ部１５及び第２ヒンジ部２５のそれぞれは、２つのカバー部を揺動可能に接続している。したがって、ユーザは、表面カバー部２０を左側に開放させることができる。表面カバー部２０を左手の親指の先端にあたるまで開放させる。この状態で、ユーザは、右手で電子ブック５０の操作部５５を操作できる。
【００４３】
また、ユーザは、表面カバー部２０をほぼ３６０度回転させてしまうことによって、携帯端末用カバー１をコンパクトにまとめた状態で電子ブック５０を使用する場合もある。ユーザは、左手で携帯端末用カバー１の裏面カバー部１０を支え、右手で表面カバー部２０を開放する。開放を続けると、表面カバー部２０は、おおよそ３６０度回転する。表面カバー部２０は、裏面カバー部１０と接するように位置し、携帯端末用カバー１がコンパクトにまとまる。ユーザは、携帯端末用カバー１を片手で容易に把持でき、もう一方の手で電子ブック５０を容易に操作できる。
【００４４】
なお、本実施形態の電子ブック５０が、本発明の「携帯端末」に相当する。カバーＩ／Ｆが本発明の「電力需給口」に相当する。端末Ｉ／Ｆ４４が本発明の「コネクタ部」に相当する。
【００４５】
以上説明したように、本実施の携帯の携帯端末用カバー１の表面カバー部２０、裏面カバー部１０、及び側面カバー部３０は、電子ブック５０の表面、裏面、及び側面を覆って保護する。予備バッテリ７４を取り付けるための予備バッテリ取付部１１が、携帯端末用カバー１に設けられている。電子ブック５０を保護するカバー部内に予備バッテリ７４が取り付けられるため、電子ブック５０を落下させても、予備バッテリ７４が電子ブック５０を破損させるおそれが低い。よって、携帯端末用カバー１は、電子ブック５０の破損を防止することができ、且つ、携帯中の電子ブック５０に電力を供給することができる。
【００４６】
予備バッテリ７４は、裏面カバー部１０のうち、電子ブック５０の表示部５１と重なる位置を避けて設けられる。すなわち、裏面カバー部１０のうち、表示部５１が裏面５２に投影される領域以外の領域に予備バッテリ７４が設けられる。したがって、電子ブック５０に衝撃が加わった場合でも、予備バッテリ７４によって表示部５１が傷つけられることがない。表示部５１の熱によって予備バッテリ７４が破損するおそれも低い。
【００４７】
予備バッテリ７４は、裏面カバー部１０のうち、電子ブック５０の表示部５１よりも下方側の部分を覆う部位に設けられる。従って、ユーザが電子ブック５０の姿勢を立ち上げると、電子ブック５０の重心が中心よりも下方に位置し、電子ブック５０の姿勢が安定する。
【００４８】
なお、上記の実施形態に示される携帯端末用カバー１の構成は例示であり、本発明は各種の変形が可能なことはいうまでもない。以下の説明では、上記の実施形態と同一の構成については同一の番号を付し、説明を省略する。
【００４９】
上記の実施形態の変形例１について、図５及び図６を参照して説明する。図５及び図６に示すように、変形例１に係る携帯端末用カバー１０１は、予備バッテリ７４を取り付けるための予備バッテリ取付部１１１を、側面カバー部１３０に備えている。このように、予備バッテリ取付部１１１を側面カバー部１３０に設けてもよい。この場合、図５に示すように、側面カバー部１３０の部位の内、中央よりも下方側の部位に予備バッテリ取付部１１１を設けることが望ましい。これにより、携帯端末用カバー１０１を立てた場合の重心が中心よりも下方に位置し、電子ブック５０の姿勢が安定する。
【００５０】
上記の実施形態の変形例２について、図７を参照して説明する。図７に示すように、変形例２に係る携帯端末用カバー２０１は、予備バッテリ取付部２１１を表面カバー部２２０に備えている。このように、予備バッテリ取付部２１１を表面カバー部２２０に設けても、電子ブック５０の破損を防止することができ、且つ、携帯中の電子ブック５０に電力を供給することができる。この場合、表面カバー部２２０のうち、電子ブック５０の表示部５１を覆う領域２２１を避けて予備バッテリ取付部２１１を設けることが望ましい。これにより、電子ブック５０に衝撃が加わった場合でも、予備バッテリ７４によって表示部５１が傷つけられることがない。表示部５１の熱によって予備バッテリ７４が破損するおそれも低い。また、表面カバー部２２０の下部に予備バッテリ取付部２１１を設ければ、電子ブック５０を立てて使用する場合の電子ブック５０の姿勢が安定する。
【００５１】
上記の実施形態の変形例３について、図８を参照して説明する。図８に示すように、変形例３に係る携帯端末用カバー３０１は、裏面カバー部３１０の上端部にライト３５０を備えている。ライト３５０は、可撓性を有するアーム部３５２と、光源３５１とを備える。アーム部３５２は、裏面カバー部３１０の上端部から上方に湾曲し、アーム部３５２の先端は下方を向いている。光源３５１は、アーム部３５２の先端に固定されている。光源３５１は、携帯端末用カバー３０１に搭載された予備バッテリ７４の電力によって発光する。このように、電子ブック５０の表示部５１を照らすライトを携帯端末用カバー３０１に設けても良い。
【００５２】
また、上記の実施形態はその他の変更も可能である。例えば、表面カバー部２０の材質を透明な合成樹脂とし、操作部５５を覆わずに、表示部５１を表面カバー部２０で覆ってもよい。表面カバー部２０が閉じたまま、すなわち、表示部５１が表面カバー部２０によって覆われたまま、ユーザは電子ブック５０の操作ができる。
【符号の説明】
【００５３】
１，１０１，２０１，３０１    携帯端末用カバー
１０  裏面カバー部
１１  予備バッテリ取付部
１５  第１ヒンジ部
２０，２２０  表面カバー部
２５  第２ヒンジ部
３０，１３０，３３０  側面カバー部
４４  端末Ｉ／Ｆ
５０  電子ブック
５１  表示部
５２  裏面
５３  表面
５４  側面
５５  操作部
５６  カバーＩ／Ｆ
【図１】
2010016799.tif 000003
【図２】
2010016799.tif 000004
【図３】
2010016799.tif 000005
【図４】
2010016799.tif 000006
【図５】
2010016799.tif 000007
【図６】
2010016799.tif 000008
【図７】
2010016799.tif 000009
【図８】
2010016799.tif 000010